(57)【要約】      （修正有）【課題】背負い鞄をより一層、安定した状態で背負うことができ、背負い鞄をより一層、軽く感じさせるものとなる背負いベルト用連結具を提供する。【解決手段】背負いベルト１に用いて背負い鞄２を背負った場合に、枠形状とした連結具本体３の上半部内側に当たる部分を使用者の身体の外方にひねった形状とし、前記連結具本体３の内側の部分より外側の部分を短くする。【選択図】図１
0003159638.tif 000002
【実用新案登録請求の範囲】
【請求項１】
背負いベルト（１）に用いて背負い鞄（２）を背負った場合に、枠形状とした連結具本体（３）の上半部内側に当たる部分を使用者の身体（Ｂ）の外方にひねった形状とし、前記連結具本体（３）の内側の部分より外側の部分を短くしたことを特徴とする背負いベルト用連結具。
【請求項２】
前記連結具本体（３）を、両側辺（３ａ、３ａ）と支持辺（３ｂ）及び連結辺（３ｃ）より略四角枠形状として形成すると共に、ピン状の係止部材（４）を連結辺（３ｃ）に回動自在に取り付け、さらに前記一側辺（３ａ）の支持辺（３ｂ）寄り端部を他側辺（３ａ）の支持辺（３ｂ）寄り端部より持ち上げ、この持ち上げた一側辺（３ａ）より前記他側辺（３ａ）を短くしたことを特徴とする請求項１記載の背負いベルト用連結具。
【請求項３】
前記連結具本体（３）を、両側辺（３ａ、３ａ）と支持辺（３ｂ）及び連結辺（３ｃ）より略四角枠形状として形成すると共に、支持辺（３ｂ）の下側に係止部（９）を設け、前記一側辺（３ａ）の支持辺（３ｂ）寄り端部を他側辺（３ａ）の支持辺（３ｂ）寄り端部より持ち上げ、この持ち上げた一側辺（３ａ）より前記他側辺（３ａ）を短くしたことを特徴とする請求項１記載の背負いベルト用連結具。
【請求項４】
前記連結具本体（３）を、両側辺（３ａ、３ａ）と支持辺（３ｂ）及び押え辺（３ｄ）より略四角枠形状として形成すると共に、両側辺（３ａ、３ａ）の間に連結桟（１０）を掛け渡し、さらに支持辺（３ｂ）の下側に係止部（９）を設け、前記一側辺（３ａ）の支持辺（３ｂ）寄り端部を他側辺（３ａ）の支持辺（３ｂ）寄り端部より持ち上げ、この持ち上げた一側辺（３ａ）より前記他側辺（３ａ）を短くしたことを特徴とする請求項１記載の背負いベルト用連結具。
【考案の詳細な説明】
【技術分野】
【０００１】
この発明は、ランドセルやリュクサック、その他の背負い鞄の背負いベルトに用いる背負いベルト用連結具に関するものである。
【背景技術】
【０００２】
従来、この種の背負いベルト用連結具は、図８に示すように、例えば背負い鞄１１として例示したランドセルの背負いベルト１２に用いるものでは、図９に示すように、連結具本体１３を、両側辺１３ａ、１３ａと支持辺１３ｂ及び連結辺１３ｃより略四角枠形状として形成しており、ピン状の係止部材１４を前記連結辺１３ｃに回動自在に取り付けると共に、背負いベルト１２の固定側１２ａにこの連結辺１３ｃを取り付け、背負いベルト１２の着脱側１２ｂの係止穴１５に係止部材１４を係止させて、この着脱側１２ｂを背負いベルト１２の固定側１２ａに取り付けた止め輪１６に通すようにしたものとしている。
【０００３】
しかしながら、従来の背負いベルト用連結具を、図１０に示すように、ランドセル等の背負い鞄１１の背負いベルト１２に用いて、この背負い鞄１１を背負った場合には、使用者の胸から脇にかけた位置においては背負いベルト１２の全幅が接触しないものとなる。すなわち、背負い鞄１１の背負いベルト１２は、略直線状としているため、背負い鞄１１を背負った場合には、図１０に示すように、使用者の胸から脇にかけた位置においては背負いベルト１２の固定側１２ａの内側縁が接触することになり、この背負いベルト１２が使用者の身体Ｂにフィットせず、背負い鞄１１を不安定な状態で背負うことになるので、背負い鞄１１が重く感じるという課題を有していた。
【０００４】
そこで、上記課題を解決するために、使用者の胸から脇にかけた位置においても背負いベルトの全幅が接触するようにし、背負い鞄の重量をこの背負いベルトの全幅で受けるようにして、背負い鞄を安定した状態で背負うことができるようにし、背負い鞄を軽く感じさせるようにした背負いベルト用連結具を、本出願人はすでに提案している。
【０００５】
本出願人が提案した背負いベルト用連結具は、図１１に示すように、背負いベルト２１に用いて背負い鞄２２を背負った場合に、枠形状とした連結具本体２３の上半部内側に当たる部分を使用者の身体Ｂの外方にひねった形状としている。すなわち、前記連結具本体２３を、両側辺２３ａ、２３ａと支持辺２３ｂ及び押え辺２３ｃより略四角枠形状として形成すると共に、両側辺２３ａ、２３ａの間に連結桟２４を掛け渡し、さらに支持辺２３ｂの下側に係止部２５を設け、前記一側辺２３ａの支持辺２３ｂ寄り端部を他側辺２３ａの支持辺２３ｂ寄り端部より持ち上げたものとしている（特許文献１）。
【０００６】
このように構成した背負いベルト用連結具を、図１２に示すように、ランドセル等の背負い鞄２２の背負いベルト２１に用いて、この背負い鞄２２を背負った場合には、使用者の胸から脇にかけた位置において、背負いベルト２１の固定側２１ａの全幅が接触するようになり、この背負いベルト２１が使用者の身体Ｂにフィットしたものとなる。
【先行技術文献】
【特許文献】
【０００７】
【特許文献１】特許第３８３４７０３号公報
【考案の概要】
【考案が解決しようとする課題】
【０００８】
上記背負いベルト用連結具は、使用者の胸から脇にかけた位置においても背負いベルトの全幅が接触するようにし、背負い鞄の重量をこの背負いベルトの全幅で受けるようにしたので、背負い鞄を安定した状態で背負うことができ、背負い鞄を軽く感じさせるものとなったが、まだこれらの効果が不十分であり、本出願人においては、未だ改良の余地があると考え、日々工夫を凝らし、この考案に至ったのである。
【０００９】
そこで、この考案は、背負い鞄をより一層、安定した状態で背負うことができ、背負い鞄をより一層、軽く感じさせるものとなる背負いベルト用連結具を提供することを目的としてなされたものである。
【課題を解決するための手段】
【００１０】
そのため、この考案の背負いベルト用連結具は、背負いベルト１に用いて背負い鞄２を背負った場合に、枠形状とした連結具本体３の上半部内側に当たる部分を使用者の身体Ｂの外方にひねった形状とし、前記連結具本体３の内側の部分より外側の部分を短くしたものとしている。
【００１１】
そして、この考案の背負いベルト用連結具は、前記連結具本体３を、両側辺３ａ、３ａと支持辺３ｂ及び連結辺３ｃより略四角枠形状として形成すると共に、ピン状の係止部材４を連結辺３ｃに回動自在に取り付け、さらに前記一側辺３ａの支持辺３ｂ寄り端部を他側辺３ａの支持辺３ｂ寄り端部より持ち上げ、この持ち上げた一側辺３ａより前記他側辺３ａを短くしたものとしている。
【００１２】
さらに、この考案の背負いベルト用連結具は、前記連結具本体３を、両側辺３ａ、３ａと支持辺３ｂ及び連結辺３ｃより略四角枠形状として形成すると共に、支持辺３ｂの下側に係止部９を設け、前記一側辺３ａの支持辺３ｂ寄り端部を他側辺３ａの支持辺３ｂ寄り端部より持ち上げ、この持ち上げた一側辺３ａより前記他側辺３ａを短くしたものとしている。
【００１３】
また、この考案の背負いベルト用連結具は、前記連結具本体３を、両側辺３ａ、３ａと支持辺３ｂ及び押え辺３ｄより略四角枠形状として形成すると共に、両側辺３ａ、３ａの間に連結桟１０を掛け渡し、さらに支持辺３ｂの下側に係止部９を設け、前記一側辺３ａの支持辺３ｂ寄り端部を他側辺３ａの支持辺３ｂ寄り端部より持ち上げ、この持ち上げた一側辺３ａより前記他側辺３ａを短くしたものとしている。
【考案の効果】
【００１４】
この発明の背負いベルト用連結具は、以上に述べたように構成されているため、背負い鞄の背負いベルトに用いた場合には、使用者の胸から脇にかけた位置においても背負いベルトの全幅がより確実に接触するようになり、ランドセルの重量をこの背負いベルトの全幅でより確実に受けるようにしたので、背負い鞄をより一層、安定した状態で背負うことができるものとなり、背負い鞄をより一層、軽く感じさせるものとなった。
【図面の簡単な説明】
【００１５】
【図１】この考案の背負いベルト用連結具を用いたランドセルを背負った状態を示す説明図である。
【図２】この考案の背負いベルト用連結具の一実施形態を示す斜視図である。
【図３】図２に示すこの考案の背負いベルト用連結具の平面図である。
【図４】図２に示すこの考案の背負いベルト用連結具の右側面図である。
【図５】図２に示すこの考案の背負いベルト用連結具の左側面図である。
【図６】この考案の背負いベルト用連結具の他の実施形態を示す斜視図である。
【図７】この考案の背負いベルト用連結具のさらに他の実施形態を示す斜視図である。
【図８】従来の何の工夫も施していない背負いベルト用連結具を用いたランドセルの側面図である。
【図９】従来の何の工夫も施していない背負いベルト用連結具の斜視図である。
【図１０】従来の何の工夫も施していない背負いベルト用連結具を用いたランドセルを背負った状態を示す説明図である。
【図１１】従来の工夫を施した背負いベルト用連結具の斜視図である。
【図１２】従来の工夫を施した背負いベルト用連結具を用いたランドセルを背負った状態を示す説明図である。
【考案を実施するための形態】
【００１６】
以下、この考案の背負いベルト用連結具を実施するための形態を、図面に基づいて詳細に説明する。
【００１７】
この考案の背負いベルト用連結具は、図１に示すように、背負い鞄として例示したランドセルの背負いベルト１に用いて、この背負い鞄２を背負った場合に、略四角枠形状とした連結具本体３の上半部内側に当たる部分を使用者の身体Ｂの外方にひねった形状とし、前記連結具本体３の内側の部分より外側の部分を短くしたものとしている。
【００１８】
すなわち、この発明の背負いベルト用連結具は、図２〜５に示すように、連結具本体３を、両側辺３ａ、３ａと支持辺３ｂ及び連結辺３ｃより略四角枠形状として形成すると共に、ピン状の係止部材４を前記連結辺３ｃに回動自在に取り付けると共に、前記一側辺３ａの支持辺３ｂ寄り端部を他側辺３ａの支持辺３ｂ寄り端部より持ち上げ、この連結具本体３の上半部を図２中の仮想線の位置から実線の位置までひねった形状とし、前記一側辺３ａより他側辺３ａを図中の仮想線の位置から実線の位置まで短くしたものとしている。
【００１９】
このようにすることにより、この発明の背負いベルト用連結具では、前記連結具本体３の上半部は、図１１に示す本出願人が先に提案した連結具本体２３の上半部より、ひねり角度をより大きくすることができるものとなる。なお、後に述べる図６、図７に示す実施形態においても、同様のことがいえる。
【００２０】
前記背負いベルト用連結具は、図１に示すように、背負いベルト１の固定側１ａを連結辺３ｃに取り付け、背負いベルト１の着脱側１ｂの係止穴５に係止部材４を係止させて、この着脱側１ｂを背負いベルト１の固定側１ａに取り付けた第一止め輪６ａおよび第二止め輪６ｂに通すようにしている。
【００２１】
なお、前記背負いベルト１の固定側１ａには、この実施形態に示したものでは、背負いベルト１の着脱側１ｂを挿通する穴７ａを設けると共に、連結具本体３を当接させておくようにした当て生地７を取り付けたものとしているが、この当て生地７はあってもなくてもよい。
【００２２】
前記側辺３ａ、３ａは、長手方向の垂直断面を流線形状としており、係止部材４がこの側辺３ａ、３ａより下方に回動しないように、その先端部４ａを支持辺３ｂに設けた凹部８に嵌まり込むようにしている。
【００２３】
さらに、この発明の背負いベルト用連結具は、図６に示すように、連結具本体３を、両側辺３ａ、３ａと支持辺３ｂ及び連結辺３ｃより略四角枠形状として形成すると共に、前記一側辺３ａの支持辺３ｂ寄り端部を他側辺３ａの支持辺３ｂ寄り端部より持ち上げ、この連結具本体３の上半部を図中の仮想線の位置から実線の位置までひねった形状とし、前記一側辺３ａより他側辺３ａを図中の仮想線の位置から実線の位置まで短くしたものとしている。
【００２４】
前記背負いベルト用連結具は、支持辺３ｂの下側に係止部９を設けており、図示していないが、背負いベルト１の固定側１ａを連結辺３ｃに取り付け、背負いベルト１の着脱側１ｂの係止穴５に係止部９を係止させて、この着脱側１ｂを背負いベルト１の固定側１ａに取り付けた第一止め輪（図示せず）および第二止め輪（図示せず）に通すようにしている。
【００２５】
前記側辺３ａ、３ａは、図２〜５に示すものと同様、長手方向の垂直断面を流線形状としており、係止部９がこの側辺３ａ、３ａより下方に突き出ないようにして、背負いベルト１を連結していない場合にも安全なものとしている。
【００２６】
前記係止部９は、略Ｌ字状に屈曲したものとして係止穴５から外れ難いものとしたり、図示していないが、下端に丸頭を形成したものとして係止穴５に係止し易いものとすることができる。
【００２７】
また、この発明の背負いベルト用連結具は、図７に示すように、連結具本体３を、両側辺３ａ、３ａと支持辺３ｂ及び押え辺３ｄより略四角枠形状として形成すると共に、前記一側辺３ａの支持辺３ｂ寄り端部を他側辺３ａの支持辺３ｂ寄り端部より持ち上げ、この連結具本体３の上半部を図中の仮想線の位置から実線の位置までひねった形状とし、前記一側辺３ａより他側辺３ａを図中の仮想線の位置から実線の位置まで短くしたものとしている。
【００２８】
前記背負いベルト用連結具は、連結具本体３の内側において両側辺３ａ、３ａの間に、背負いベルト１の挿通方向と直角に連結桟１０を掛け渡し、さらに支持辺３ｂの下側に係止部９を設けている。
【００２９】
そして、背負いベルト１の固定側１ａを連結桟１０に取り付けると共に、背負いベルト１の着脱側１ｂの係止穴５に係止部９を係止させて、背負いベルト１の着脱側１ｂを押え辺３ｄの下に通すようにしている。
【００３０】
前記側辺３ａ、３ａは、図２〜５に示すものと同様、長手方向の垂直断面を流線形状としており、係止部９がこの側辺３ａ、３ａより下方に突き出ないようにして、背負いベルト１を連結していない場合にも安全なものとしている。
【００３１】
前記押え辺３ｄは、後方側へ倒すように傾斜させたものとしており、この押え辺３ｄの下に通す背負いベルト１の着脱側１ｂを押さえ込むようにしている。
【００３２】
前記係止部９も、図６に示すものと同様、略Ｌ字状に屈曲したものとして係止穴５から外れ難いものとしたり、図示していないが、下端に丸頭を形成したものとして係止穴５に係止し易いものとすることができる。
【００３３】
以上のように構成したこの発明の背負いベルト用連結具を、前記図１に示すように、ランドセル等の背負い鞄２の背負いベルト１に用いて、この背負い鞄２を背負った場合には、使用者の胸から脇にかけた位置において、背負いベルト１の固定側１ａの全幅がより確実に接触するようになり、この背負いベルト１が使用者の身体Ｂにより確実にフィットしたものとなる。
【００３４】
また、図６及び図７に示す実施形態におけるこの発明の背負いベルト用連結具は、背負いベルト１の着脱側１ｂの係止穴５に係止させた係止部９が外側に突出せず安全なものとなり、さらに背負い鞄２の背負いベルト１に用いる場合にその背負いベルト１が弛んだとしても、係止部９が回動して立ち上がるようなことはなくより安全なものとなる。
【符号の説明】
【００３５】
１  背負いベルト
２  背負い鞄
３  連結具本体
３ａ  側辺
３ｂ  支持辺
３ｃ  連結辺
３ｄ  押え辺
４  係止部材
９    係止部
１０  連結桟
Ｂ  身体
【図１】
0003159638.tif 000003
【図２】
0003159638.tif 000004
【図３】
0003159638.tif 000005
【図４】
0003159638.tif 000006
【図５】
0003159638.tif 000007
【図６】
0003159638.tif 000008
【図７】
0003159638.tif 000009
【図８】
0003159638.tif 000010
【図９】
0003159638.tif 000011
【図１０】
0003159638.tif 000012
【図１１】
0003159638.tif 000013
【図１２】
0003159638.tif 000014
【手続補正書】
【提出日】平成22年3月11日(2010.3.11)
【手続補正１】
【補正対象書類名】明細書
【補正対象項目名】０００１
【補正方法】変更
【補正の内容】
【０００１】
この考案は、ランドセルやリュクサック、その他の背負い鞄の背負いベルトに用いる背負いベルト用連結具に関するものである。
【手続補正２】
【補正対象書類名】明細書
【補正対象項目名】００１４
【補正方法】変更
【補正の内容】
【００１４】
この考案の背負いベルト用連結具は、以上に述べたように構成されているため、背負い鞄の背負いベルトに用いた場合には、使用者の胸から脇にかけた位置においても背負いベルトの全幅がより確実に接触するようになり、ランドセルの重量をこの背負いベルトの全幅でより確実に受けるようにしたので、背負い鞄をより一層、安定した状態で背負うことができるものとなり、背負い鞄をより一層、軽く感じさせるものとなった。
【手続補正３】
【補正対象書類名】明細書
【補正対象項目名】００１８
【補正方法】変更
【補正の内容】
【００１８】
すなわち、この考案の背負いベルト用連結具は、図２〜５に示すように、連結具本体３を、両側辺３ａ、３ａと支持辺３ｂ及び連結辺３ｃより略四角枠形状として形成すると共に、ピン状の係止部材４を前記連結辺３ｃに回動自在に取り付けると共に、前記一側辺３ａの支持辺３ｂ寄り端部を他側辺３ａの支持辺３ｂ寄り端部より持ち上げ、この連結具本体３の上半部を図２中の仮想線の位置から実線の位置までひねった形状とし、前記一側辺３ａより他側辺３ａを図中の仮想線の位置から実線の位置まで短くしたものとしている。
【手続補正４】
【補正対象書類名】明細書
【補正対象項目名】００１９
【補正方法】変更
【補正の内容】
【００１９】
このようにすることにより、この考案の背負いベルト用連結具では、前記連結具本体３の上半部は、図１１に示す本出願人が先に提案した連結具本体２３の上半部より、ひねり角度をより大きくすることができるものとなる。なお、後に述べる図６、図７に示す実施形態においても、同様のことがいえる。
【手続補正５】
【補正対象書類名】明細書
【補正対象項目名】００２３
【補正方法】変更
【補正の内容】
【００２３】
さらに、この考案の背負いベルト用連結具は、図６に示すように、連結具本体３を、両側辺３ａ、３ａと支持辺３ｂ及び連結辺３ｃより略四角枠形状として形成すると共に、前記一側辺３ａの支持辺３ｂ寄り端部を他側辺３ａの支持辺３ｂ寄り端部より持ち上げ、この連結具本体３の上半部を図中の仮想線の位置から実線の位置までひねった形状とし、前記一側辺３ａより他側辺３ａを図中の仮想線の位置から実線の位置まで短くしたものとしている。
【手続補正６】
【補正対象書類名】明細書
【補正対象項目名】００２７
【補正方法】変更
【補正の内容】
【００２７】
また、この考案の背負いベルト用連結具は、図７に示すように、連結具本体３を、両側辺３ａ、３ａと支持辺３ｂ及び押え辺３ｄより略四角枠形状として形成すると共に、前記一側辺３ａの支持辺３ｂ寄り端部を他側辺３ａの支持辺３ｂ寄り端部より持ち上げ、この連結具本体３の上半部を図中の仮想線の位置から実線の位置までひねった形状とし、前記一側辺３ａより他側辺３ａを図中の仮想線の位置から実線の位置まで短くしたものとしている。
【手続補正７】
【補正対象書類名】明細書
【補正対象項目名】００３３
【補正方法】変更
【補正の内容】
【００３３】
以上のように構成したこの考案の背負いベルト用連結具を、前記図１に示すように、ランドセル等の背負い鞄２の背負いベルト１に用いて、この背負い鞄２を背負った場合には、使用者の胸から脇にかけた位置において、背負いベルト１の固定側１ａの全幅がより確実に接触するようになり、この背負いベルト１が使用者の身体Ｂにより確実にフィットしたものとなる。
【手続補正８】
【補正対象書類名】明細書
【補正対象項目名】００３４
【補正方法】変更
【補正の内容】
【００３４】
また、図６及び図７に示す実施形態におけるこの考案の背負いベルト用連結具は、背負いベルト１の着脱側１ｂの係止穴５に係止させた係止部９が外側に突出せず安全なものとなり、さらに背負い鞄２の背負いベルト１に用いる場合にその背負いベルト１が弛んだとしても、係止部９が回動して立ち上がるようなことはなくより安全なものとなる。